(57)【要約】【課題】キセノン灯固定組立機構の提供。【解決手段】一種のキセノン灯固定組立機構、キセノン灯の灯台天面に挿入管部と向かい合う挿入孔を設け、灯台底面のソケットに接続しておく、電源コード、灯管およびその導体を組み入れる。灯台に向かい合う二つの孔を設ける。車両灯台取付孔に合わせた固定盤を設け、盤体底面に灯台形状、大きさおよび厚みに合わせて凹み部を設ける。さらに、灯台の挿入管部、灯管および二つの孔の場所に向かい合うはめ込み溝と二つの孔を設ける。２本のボルトを灯台と固定盤の向かい合う孔に挿入し、締めつける。よって、純正部品のキセノン灯は特定型式の固定盤との組み合わせにより、特定型式のキセノン灯を構成し、車両の灯台に設ける特定型式の取付孔に取り付けられるため、新たに純正部品のキセノン灯を生産する必要がない。【選択図】図１
0003122625.tif 000002
【実用新案登録請求の範囲】
【請求項１】
キセノン灯の灯台天面に挿入管部と向かい合う挿入孔を設け、灯台底面のソケットに接続し、電源コード、灯管およびその導体を組み入れる、
灯台に向かい合う二つの孔を設ける、
車両灯台取付孔の固定盤を設け、盤体底面に灯台形状、大きさおよび厚みに合わせて凹み部を設ける、
灯台の挿入管部、灯管および二つの貫通孔の場所に向かい合うはめ込み溝と二つの貫通孔を設ける、
２本のボルトを灯台と固定盤の向かい合う孔に挿入し、締めつけるを実現することを特徴とする一種のキセノン灯固定組立機構。
【請求項２】
請求項１記載のキセノン灯固定組立機構において、灯台の外周面および固定盤固定凹み部の内面に合わせて固定切り込みを設けることを特徴とするキセノン灯固定組立機構。
【請求項３】
請求項１記載のキセノン灯固定組立機構において、灯台の天面に２本の固定ピンを設け、固定台の固定凹み部に二つのピン孔を設けることを特徴とするキセノン灯固定組立機構。
【請求項４】
請求項１記載のキセノン灯固定組立機構において、固定盤の外周面に複数の固定部を設けることを特徴とするキセノン灯固定組立機構。
【考案の詳細な説明】
【技術分野】
【０００１】
本考案はキセノン灯固定組立機構、特に様々な車種の灯台の取付孔に組み込まれる一種の車用キセノン灯の固定組立機構に関わる。
【背景技術】
【０００２】
市販の車用のヘッドライトの９５％はハロゲン灯球を使用し、その内部のタングステン線を発光源に使用されている。しかし、タングステン線より発生する光源の色温約３０００〜３２００Ｋ(６０Ｗ)で、改装してもその色温は３４００〜８００Ｋ(１００Ｗ)以上に上げることができない。
【０００３】
一方、キセノン灯(気体放電ヘッドライト、ＨＩＤ)を使用すると、その色温は正午の日照度に近い５０００Ｋ、快適な照度が得られる。さらに、キセノン灯はその内部のキセノンガスの分子は使用時間につれて、活発化するため、気体放電ヘッドライトは使用時間が長いほどに、明るい長所がある。
【０００４】
また、キセノン灯はハロゲン灯に比べて、多くの長所があるため各自動車メーカが軒並みにハロゲン灯からキセノン灯に取り代る傾向がある。しかし、現在の車用キセノン灯タイプはＨ１、Ｈ４、Ｈ７および９００６しかない。よって、各自動車メーカの灯台はＨ１、Ｈ４、Ｈ７および９００６型式のキセノン灯を取り付けるために、それぞれに対応する取付孔を設けなければならない。純正部品のキセノン灯は同一の灯台取付孔を共用できない。よって、生産、販売および在庫コストともかさばるため、この課題を改善の必要がある。
【考案の開示】
【考案が解決しようとする課題】
【０００５】
本考案の主な目的は、純正部品のキセノン灯は特定型式の固定盤を選択により、特定型式のキセノン灯を構成し、車両の灯台特定取付孔に取り付けられるため、新たに純正部品のキセノン灯を生産する必要がなく、生産、販売および在庫コストを軽減し、産業の利用価値を有する一種のキセノン灯固定組立機構を提供する。
【０００６】
前記の目的を実現するため、本考案のキセノン灯の灯台天面に挿入管部と向かい合う挿入孔を設け、灯台底面のソケットに接続し、電源コード、灯管およびその導体を組み入れる。灯台に向かい合う二つの孔を設ける。車両灯台取付孔の固定盤を設け、盤体底面に灯台形状、大きさおよび厚みに合わせて凹み部を設ける。さらに、灯台の挿入管部、灯管および二つの孔の場所に向かい合うはめ込み溝と二つの孔を設ける。２本のボルトを灯台と固定盤の向かい合う孔に挿入し、締めつける。
【０００７】
好ましい実施例において、灯台底盤の外周面と固定盤の固定凹み部の内面に合わせて、固定切り込みを設ける。
【課題を解決するための手段】
【０００８】
請求項１の考案は、キセノン灯の灯台天面に挿入管部と向かい合う挿入孔を設け、灯台底面のソケットに接続し、電源コード、灯管およびその導体を組み入れる、
灯台に向かい合う二つの孔を設ける、
車両灯台取付孔の固定盤を設け、盤体底面に灯台形状、大きさおよび厚みに合わせて凹み部を設ける、
灯台の挿入管部、灯管および二つの貫通孔の場所に向かい合うはめ込み溝と二つの貫通孔を設ける、
２本のボルトを灯台と固定盤の向かい合う孔に挿入し、締めつけるを実現することを特徴とする一種のキセノン灯固定組立機構としている。
請求項２の考案は、請求項１記載のキセノン灯固定組立機構において、灯台の外周面および固定盤固定凹み部の内面に合わせて固定切り込みを設けることを特徴とするキセノン灯固定組立機構としている。
請求項３の考案は、請求項１記載のキセノン灯固定組立機構において、灯台の天面に２本の固定ピンを設け、固定台の固定凹み部に二つのピン孔を設けることを特徴とするキセノン灯固定組立機構としている。
請求項４の考案は、請求項１記載のキセノン灯固定組立機構において、固定盤の外周面に複数の固定部を設けることを特徴とするキセノン灯固定組立機構としている。
【考案の効果】
【０００９】
一種のキセノン灯固定組立機構、キセノン灯の灯台天面に挿入管部と向かい合う挿入孔を設け、灯台底面のソケットに接続しておく、電源コード、灯管およびその導体を組み入れる。灯台に向かい合う二つの孔を設ける。車両灯台取付孔に合わせた固定盤を設け、盤体底面に灯台形状、大きさおよび厚みに合わせて凹み部を設ける。さらに、灯台の挿入管部、灯管および二つの孔の場所に向かい合うはめ込み溝と二つの孔を設ける。２本のボルトを灯台と固定盤の向かい合う孔に挿入し、締めつける。よって、純正部品のキセノン灯は特定型式の固定盤との組み合わせにより、特定型式のキセノン灯を構成し、車両の灯台に設ける特定型式の取付孔に取り付けられるため、新たに純正部品のキセノン灯を生産する必要がない。
【考案を実施するための最良の形態】
【００１０】
図１、２に示すものは、実施例において、キセノン灯１０に灯台２０を設け、灯管１１、導体１２、１３および電源コード１４、１５を設ける。キセノン灯１０および灯台２０により、純正部品Ｈ１型のキセノン灯を構成し、車の灯台に設けた公知技術のＨ１型取付孔(図示していない、公知技術の取付部材で固定する)に取り付ける。
【００１１】
純正部品のＨ１型キセノン灯１０を車の取付孔に組み込まれる灯台２０を設け、灯台２０天面と底面に挿入管部２２とソケット２１を設けて、電源コード１４、１５を接続し、灯管１１と導体１２、１３を挿入する。前記の灯台２０に向かい合う二つの孔２４と導体１３を取り付ける挿入孔２３を設ける。灯台２０はさらに、固定切り込み２５を設け、前記の二つの孔２４の交差した区間に２本の固定ピン２６を設ける。
【００１２】
純正部品のＨ１型キセノン灯１０は、Ｈ１型取付孔しか対応できない。しかし、本考案の図示した実施例の第１種固定盤３０、第２種固定盤５０または第３種固定盤６０により、Ｈ１型キセノン灯１０は第１種固定盤３０との組み合わせにより、９００６型の取付孔、第２種固定盤５０との組み合わせにより、Ｈ７型取付孔、または第３種固定盤６０との組み合わせにより、Ｈ４型取付孔にそれぞれ適用できる。
【００１３】
９００６型の第１種固定盤３０において、図１〜４に示すとおり、盤体３１底面に灯台２０の形状、大きさ、および厚みに適した固定凹み部３７、およびこれに合わせて設ける固定切り込み３５を設ける。さらに、第１種固定盤３０は前記の灯台２０の挿入管部２２、灯管１１、導体１３、二つの孔２４および固定ピン２６の場所に合わせて、はめ込み溝３２、３３、二つの孔３４およびピン孔３６をそれぞれに設ける。９００６型取付孔であらかじめ設けた切り込み(図示していない)に合わせて第１種固定盤３０に、対応する突き出し固定部３８を設ける。
【００１４】
前記の第１種固定盤３０は、Ｈ１型キセノン灯１０の灯台２０に取り付けた上、図３、４に示すボルト４０は対称した孔２４、３４を通して、両者を組み合わせて一体化する。組み合わせた後の第１種固定盤３０のＨ１型キセノン灯１０は、９００６型取付孔に適する。
【００１５】
図示の実施例において、第２種固定盤５０に前記の第１種固定盤３０と同等の構造を設け、盤体５１、はめ込み溝５２、５３、孔５４、固定切り込み５５、ピン孔５６および固定凹み部５７、およびＨ７型取付孔に組み込む固定部５８など、これらの同等部品に類似の番号を表示する。よって、図５、６に示すように、第２種固定盤５０を組み込まれたＨ１型キセノン灯１０は、Ｈ７型取付孔に適用できる。
【００１６】
前記の第３種固定盤６０に前記の第１種固定盤３０と同等の構造を設け、盤体６１、はめ込み溝６２、６３、孔６４、固定切り込み６５、ピン孔６６および固定凹み部６７、およびＨ４型取付孔に組み込む固定部６８など、これらの同等部品に類似の番号を表示する。よって、図７、８に示すように、第３種固定盤６０を組み込まれたＨ１型キセノン灯１０は、Ｈ４型取付孔に適用できる。
【００１７】
よって、純正のキセノン灯は特定型式の固定盤との組み合わせにより、特定型式のキセノン灯を構成し、車両の灯台に設ける特定型式の取付孔に取り付けられるため、新たに純正のキセノン灯を生産する必要がない。産業の利用価値は確かである。
【図面の簡単な説明】
【００１８】
【図１】本考案の好ましい実施例の分解図である。純正部品のキセノン灯と２種類の固定盤を含まれる。
【図２】図１の灯台と３種類固定盤底面の立面図である。
【図３】図１のキセノン灯と第１種固定盤との組み合わせ立面図である。
【図４】図３の断面図である。
【図５】図１のキセノン灯と第２種固定盤との組み合わせ立面図である。
【図６】図５の断面図である。
【図７】図１のキセノン灯と第３種固定盤との組み合わせ立面図である。
【図８】図７の断面図である。
【符号の説明】
【００１９】
１０    キセノン灯
１１    灯管
１２、１３    導体
１４、１５    電源コード
２０    灯台
２１    ソケット
２２    挿入管部
２３  挿入孔
２４  孔
２５  固定切り込み
２６  固定ピン
３０  第１種固定盤
４０  ボルト
５０  第２種固定盤
６０  第３種固定盤
３１、５１、６１  盤体
３２、３３、５２、５３、６２、６３    はめ込み溝
３４、５４、６４  孔
３５、５５、６５  固定切り込み
３６、５６、６６  ピン孔
３７、５７、６７  固定凹み部
３８、５８、６８  固定部
【図１】
0003122625.tif 000003
【図２】
0003122625.tif 000004
【図３】
0003122625.tif 000005
【図４】
0003122625.tif 000006
【図５】
0003122625.tif 000007
【図６】
0003122625.tif 000008
【図７】
0003122625.tif 000009
【図８】
0003122625.tif 000010
【手続補正書】
【提出日】平成18年4月7日(2006.4.7)
【手続補正１】
【補正対象書類名】実用新案登録請求の範囲
【補正対象項目名】全文
【補正方法】変更
【補正の内容】
【実用新案登録請求の範囲】
【請求項１】
キセノン灯の灯台天面に挿入管部と向かい合う挿入孔を設け、灯台底面のソケットに接続し、電源コード、灯管およびその導体を組み入れ、
灯台に向かい合う二つの孔を設け、
車両灯台取付孔の固定盤を設け、盤体底面に灯台形状、大きさおよび厚みに合わせて凹み部を設け、
灯台の挿入管部、灯管および二つの貫通孔の場所に向かい合うはめ込み溝と二つの貫通孔を設け、
２本のボルトを灯台と固定盤の向かい合う孔に挿入し、締めつけることを特徴とするキセノン灯固定組立機構。
【請求項２】
請求項１記載のキセノン灯固定組立機構において、灯台の外周面および固定盤固定凹み部の内面に合わせて固定切り込みを設けることを特徴とするキセノン灯固定組立機構。
【請求項３】
請求項１記載のキセノン灯固定組立機構において、灯台の天面に２本の固定ピンを設け、固定台の固定凹み部に二つのピン孔を設けることを特徴とするキセノン灯固定組立機構。
【請求項４】
請求項１記載のキセノン灯固定組立機構において、固定盤の外周面に複数の固定部を設けることを特徴とするキセノン灯固定組立機構。
【手続補正２】
【補正対象書類名】明細書
【補正対象項目名】０００８
【補正方法】変更
【補正の内容】
【０００８】
請求項１の考案は、キセノン灯の灯台天面に挿入管部と向かい合う挿入孔を設け、灯台底面のソケットに接続し、電源コード、灯管およびその導体を組み入れ、
灯台に向かい合う二つの孔を設け、
車両灯台取付孔の固定盤を設け、盤体底面に灯台形状、大きさおよび厚みに合わせて凹み部を設け、
灯台の挿入管部、灯管および二つの貫通孔の場所に向かい合うはめ込み溝と二つの貫通孔を設け、
２本のボルトを灯台と固定盤の向かい合う孔に挿入し、締めつけることを特徴とするキセノン灯固定組立機構としている。
請求項２の考案は、請求項１記載のキセノン灯固定組立機構において、灯台の外周面および固定盤固定凹み部の内面に合わせて固定切り込みを設けることを特徴とするキセノン灯固定組立機構としている。
請求項３の考案は、請求項１記載のキセノン灯固定組立機構において、灯台の天面に２本の固定ピンを設け、固定台の固定凹み部に二つのピン孔を設けることを特徴とするキセノン灯固定組立機構としている。
請求項４の考案は、請求項１記載のキセノン灯固定組立機構において、固定盤の外周面に複数の固定部を設けることを特徴とするキセノン灯固定組立機構としている。